(57)【要約】【課題】塗工ムラが抑制された、エアブラシユニット、及びかかるエアブラシユニットのためのインク供給具としても、単独の筆記具としても用いることができる筆記具を提供する。【解決手段】本発明のエアブラシユニット１００は、エアブラシ１０及び筆記具２０を具備しており、エアブラシ１０から噴き出す空気を介して、水性インク組成物を噴射させる、エアブラシユニット１００であって、筆記具２０は、水性インク組成物を含有しており、かつ水性インク組成物は、隠蔽性顔料を含有しており、かつ剪断速度９．６〜７６．６／ｓにおける剪断減粘指数が０．４〜０．８である。【選択図】図１
2019189671.tif 000002
【特許請求の範囲】
【請求項１】
エアブラシ及び筆記具を具備しており、前記エアブラシから噴き出す空気を介して、前記水性インク組成物を噴射させる、エアブラシユニットであって、
前記筆記具は、水性インク組成物を含有しており、かつ
前記水性インク組成物は、隠蔽性顔料を含有しており、かつ剪断速度９．６〜７６．６／ｓにおける剪断減粘指数が０．４〜０．８である、
エアブラシユニット。
【請求項２】
前記水性インク組成物の剪断速度３８．３／ｓでの粘度が、５〜５０ｍＰａ・ｓである、請求項１に記載のエアブラシユニット。
【請求項３】
前記水性インク組成物の、２５℃及び２００ｍｓにおける動的表面張力が５５ｍＮ／ｍ以下である、請求項１又は２に記載のエアブラシユニット。
【請求項４】
前記水性インク組成物が、フッ素系界面活性剤、アセチレングリコール系界面活性剤、及びシリコーン系界面活性剤からなる群より選択される少なくとも一種の界面活性剤を含有している、請求項１〜３のいずれか一項に記載のエアブラシユニット。
【請求項５】
エアブラシと組み合わせて用いられる筆記具であって、
前記筆記具は、水性インク組成物を含有しており、
前記水性インク組成物は、
水、及び隠蔽性顔料を含有しており、
２５℃及び２００ｍｓにおける動的表面張力が５５ｍＮ／ｍ以下であり、かつ
剪断速度９．６〜７６．６／ｓにおける剪断減粘指数が０．４〜０．８である、
筆記具。
【請求項６】
前記水性インク組成物の剪断速度３８．３／ｓでの粘度が、５〜５０ｍＰａ・ｓである、請求項５に記載の筆記具。
【請求項７】
前記水性インク組成物が、フッ素系界面活性剤、アセチレングリコール系界面活性剤、及びシリコーン系界面活性剤からなる群より選択される少なくとも一種の界面活性剤を含有している、請求項５又は６に記載の筆記具。
【発明の詳細な説明】
【技術分野】
【０００１】
本発明は、エアブラシユニット及び筆記具に関する。
【背景技術】
【０００２】
従来、描画等の分野において、インクを飛散させて霧状になし、その霧状のインクを紙などに吹き付けることにより描画などを可能とするエアブラシが用いられている。空気噴射部材をエアブラシ本体に取り付けられることが従来行われていたが、かかるエアブラシは、インクの交換を円滑に行うことができないという問題や、インク詰まり等の問題を生じることがあった。
【０００３】
これに対し、筆記具を取付けて、そのペン先に空気を噴射して当てて、ペン先に滲出したインクを飛散させて霧状になし、その霧状のインクを紙などに吹き付けることにより描画などを可能とするエアブラシが種々提案されている。
【０００４】
特許文献１では、筆記用具から絵の具やインク等の液体を供給することを特徴とするエアブラシが開示されている。
【０００５】
特許文献２では、加熱により消色する着色剤とビヒクルとからなるインキ組成物を軸筒内に収容し、筆記先端部に繊維又は合成樹脂ペン体を設けた筆記具と、筆記具を装着し、筆記先端部に高圧気体を噴出する吹き付け具とからなる吹き付け具セットが開示されている。
【０００６】
特許文献３では、モータと、回転運動を往復運動に変換するクランク等の装置を介してモータと接続する高圧空気発生装置と、高圧空気発生装置からエアーノズルへ高圧空気を送るチューブと、電池とをケースに内蔵するとともに、ペン先がエアーノズルの空気噴射口に近接するように筆記具を保持するペンホルダーをケースの外部に一体的に設けたことを特徴とする筆記具を利用したエアブラシが開示されている。
【先行技術文献】
【特許文献】
【０００７】
【特許文献１】実開平６−０５７４４７号公報
【特許文献２】登録実用新案第３１７３４８９号公報
【特許文献３】特開平１１−０４７６４４号公報
【発明の概要】
【発明が解決しようとする課題】
【０００８】
上記のエアブラシによれば、詰まりの問題が抑制されているため、インクの良好な噴射性を得ることができる。
【０００９】
一方、上記のエアブラシを用い、プラスチックモデル等の非吸収面にインクを噴射させると、塗工ムラが生じることがあり、その結果、塗膜の厚さに差異が生じ、濃淡が生じることがあった。
【００１０】
また、製品の流通の便宜等の要望により、エアブラシのためのインク供給具としてのみならず、単独の筆記具としても用いることができる筆記具を提供することも望まれている。
【００１１】
そこで、塗工ムラが抑制された、エアブラシユニット、及びかかるエアブラシユニットのためのインク供給具としても、単独の筆記具としても用いることができる筆記具を提供する必要性が存在する。
【課題を解決するための手段】
【００１２】
本発明者らは、鋭意検討したところ、以下の手段により上記課題を解決できることを見出して、本発明を完成させた。すなわち、本発明は、下記のとおりである：
〈態様１〉エアブラシ及び筆記具を具備しており、前記エアブラシから噴き出す空気を介して、前記水性インク組成物を噴射させる、エアブラシユニットであって、
前記筆記具は、水性インク組成物を含有しており、かつ
前記水性インク組成物は、隠蔽性顔料を含有しており、かつ剪断速度９．６〜７６．６／ｓにおける剪断減粘指数が０．４〜０．８である、
エアブラシユニット。
〈態様２〉前記水性インク組成物の剪断速度３８．３／ｓでの粘度が、５〜５０ｍＰａ・ｓである、態様１に記載のエアブラシユニット。
〈態様３〉前記水性インク組成物の、２５℃及び２００ｍｓにおける動的表面張力が５５ｍＮ／ｍ以下である、態様１又は２に記載のエアブラシユニット。
〈態様４〉前記水性インク組成物が、フッ素系界面活性剤、アセチレングリコール系界面活性剤、及びシリコーン系界面活性剤からなる群より選択される少なくとも一種の界面活性剤を含有している、態様１〜３のいずれか一項に記載のエアブラシユニット。
〈態様５〉エアブラシと組み合わせて用いられる筆記具であって、
前記筆記具は、水性インク組成物を含有しており、
前記水性インク組成物は、
水、及び隠蔽性顔料を含有しており、
２５℃及び２００ｍｓにおける動的表面張力が５５ｍＮ／ｍ以下であり、かつ
剪断速度９．６〜７６．６／ｓにおける剪断減粘指数が０．４〜０．８である、
筆記具。
〈態様６〉前記水性インク組成物の剪断速度３８．３／ｓでの粘度が、５〜５０ｍＰａ・ｓである、態様５に記載の筆記具。
〈態様７〉前記水性インク組成物が、フッ素系界面活性剤、アセチレングリコール系界面活性剤、及びシリコーン系界面活性剤からなる群より選択される少なくとも一種の界面活性剤を含有している、態様５又は６に記載の筆記具。
【発明の効果】
【００１３】
本発明によれば、塗工ムラが抑制された、エアブラシユニット、及びかかるエアブラシユニットのためのインク供給具としても、単独の筆記具としても用いることができる筆記具を提供することができる。
【図面の簡単な説明】
【００１４】
【図１】図１は、本発明のエアブラシユニットの概略図である。
【発明を実施するための形態】
【００１５】
《エアブラシユニット》
図１に示すように、本発明のエアブラシユニット１００は、エアブラシ１０及び筆記具２０を具備しており、エアブラシ１０から噴き出す空気を介して、水性インク組成物を噴射させる、エアブラシユニット１００であって、
筆記具２０は、水性インク組成物を含有しており、かつ
水性インク組成物は、隠蔽性顔料を含有しており、かつ剪断速度９．６〜７６．６／ｓにおける剪断減粘指数が０．４〜０．８である。
【００１６】
本発明のエアブラシユニット１００は、エアブラシ１０と筆記具２０を連結させる随意の連結部材３０を具備していてよい。
【００１７】
本発明のエアブラシユニット１００は、例えば、図１の白抜き矢印で示すように、ノズル１２から筆記具２０の筆記部２２に向かう方向へと空気を噴射することにより、筆記部２２に付着しているインクを、図１の５本の矢印で示すように、筆記部２２から広がるようにして噴射させることができる。
【００１８】
ここで、剪断減粘指数は、剪断速度を速度の変化に応じた見掛け粘度の変化の尺度を示す値であり、以下の関係式を満たすｎを意味するものである。この剪断減粘指数は、例えばレオメータ又は回転粘度計を用いて測定することができる：
τ＝ηＤｎ
（式中、τは、ずり応力を示しており、Ｄは、ずり速度を示しており、ηは、見掛け粘度を意味するものである）
【００１９】
従来、エアブラシのために用いるインクとしては、油性インクが用いられていたが、本発明者らは、安全性の観点から、水性インクを用いることを検討した。しかしながら、水性インクを用いた場合には、エアブラシにより噴射したインクが、プラスチックモデル等の被塗工体に着弾し、その後にこのインクが乾燥するまでに時間を要し、その間に着弾したインクの液滴が凝集して、その結果、塗工ムラが生じることを見出した。
【００２０】
これに対し、本発明者らは、上記の構成により、インクの良好な噴射性及び抑制された液滴の凝集をもたらすことができ、その結果、塗工ムラが抑制することができることを見出した。
【００２１】
具体的には、まず、本発明の筆記具によれば、隠蔽性顔料を用いることにより、塗膜の厚みによらない、ムラのない外観を実現できることを見出した。
【００２２】
更に、本発明のエアブラシユニットによれば、剪断減粘指数を０．８以下とすることにより、筆記具として用いるのに十分な再初筆性を満足させつつ、エアブラシにより噴射したインクが被塗工体に着弾した後の液滴の凝集を抑制することができ、その結果、比較的乾燥しにくい水性インクを用いた場合にも、インクが乾燥している間における液滴の凝集を抑制することができる。更に、本発明のエアブラシユニットによれば、剪断減粘指数を０．４以上とすることにより、エアブラシによるインクの噴射性を確保することができるとともに、筆記した際のインクの良好な流出も確保することができる。
【００２３】
この剪断減粘指数は、０．９以下、０．８以下、又は０．７以下であってよく、また０．４以上、０．５以上、又は０．６以上であってよい。この剪断減粘指数は、主に増粘剤によって調節することができる。
【００２４】
以下では、本発明のエアブラシユニットの各構成要素について説明する。
【００２５】
〈筆記具〉
筆記具は、水性インク組成物を含有している。筆記具は、インク貯蔵部、筆記部及び保持部を具備していてよく、この場合、インク貯蔵部には、水性インク組成物が貯蔵されていてよい。
【００２６】
本発明の筆記具は、マーキングペンであることが、エアブラシによるインクの良好な噴射性を確保する観点から好ましい。
【００２７】
ここで、本明細書において「マーキングペン」とは、インク貯蔵部に貯蔵されているインクを、毛細管現象により樹脂製の筆記部に供給する機構を有するペンを意味するものであり、当業者により「サインペン」として言及されるペンも含まれる。
【００２８】
特に、本発明の筆記具は、インク貯蔵部と筆記部との間にバルブを更に有するバルブ式筆記具であることが、隠蔽性顔料を用いた場合にも良好なインク流出性を得る観点から好ましい。
【００２９】
（水性インク組成物）
水性インク組成物は、水、及び隠蔽性顔料を含有している。水性インク組成物は、剪断速度９．６〜７６．６／ｓにおける剪断減粘指数が０．４〜０．８である。
【００３０】
水性インク組成物の剪断速度３８．３／ｓでの粘度は、５ｍＰａ・ｓ以上、１０ｍＰａ・ｓ以上、又は１５ｍＰａ・ｓ以上であり、かつ５０ｍＰａ・ｓ以下、４５ｍＰａ・ｓ以下、又は４２ｍＰａ・ｓ以下であることが、上記の剪断減粘指数を満足させる観点から好ましい。この粘度は、主に増粘剤によって調節することができる。
【００３１】
水性インク組成物は、２５℃及び１００ｍｓにおける動的表面張力が５５ｍＮ／ｍ以下であることが、エアブラシでインクを噴射させた際に生じるミストをより緻密にし、その結果、ムラを更に生じにくくする観点から好ましい。この動的表面張力は、５０ｍＮ／ｍ以下、４５ｍＮ／ｍ以下であってよく、また２５ｍＮ／ｍ以上、又は３０ｍＮ／ｍ以上であってよい。この動的表面張力は、界面活性剤や水溶性有機溶剤等によって調節させることができる。
【００３２】
水性インク組成物は、２５℃における静的表面張力が、５０ｍＮ／ｍ以下、４５ｍＮ／ｍ以下、４０ｍＮ／ｍ以下、又は３５ｍＮ／ｍ以下であってよく、また２０ｍＮ／ｍ以上、又は２５ｍＮ／ｍ以上であってよい。この静的表面張力は、界面活性剤や水溶性有機溶剤等によって調節させることができる。
【００３３】
上記の動的表面張力及び静的表面張力は、例えば表面張力計を用いて測定することができる。
【００３４】
水性インク組成物は、界面活性剤を含有していることが、水性インク組成物の動的表面張力及び静的表面張力を良好に低減させる観点から好ましい。水性インク組成物が界面活性剤を含有している場合、界面活性剤の含有率は、０．０５質量％以上、又は０．１０質量％以上であり、かつ５．０質量％以下、３．０質量％以下、又は２．０質量％以下であることが、インクの隠蔽性と良好な剪断減粘指数とを調和させる観点から好ましい。
【００３５】
（水性インク組成物：水）
水は、イオン交換水、蒸留水等であることができる。
【００３６】
（水性インク組成物：隠蔽性顔料）
隠蔽性顔料としては、例えば酸化チタン、酸化亜鉛、アルミニウム等を用いることができる。
【００３７】
隠蔽性顔料の平均粒子径は、インクの隠蔽性を確保できる限り特に限定されないが、例えば１５０ｎｍ以上、２００ｎｍ以上、２５０ｎｍ以上、又は３００ｎｍ以上であってよく、また１５μｍ以下、１３μｍ以下、又は１０μｍ以下であってよい。ここでいう平均粒子径とは、対象となる隠蔽性顔料の大きさによって適宜選択され、概ね１μｍ未満の粒子の場合は、動的散乱法により測定した散乱強度分布によるヒストグラム平均粒子径（Ｄ５０）の値であり、１μｍ以上の粒子の場合は、レーザー回折法において体積基準により算出されたＤ５０の値である。
【００３８】
特に、隠蔽性顔料が酸化チタンである場合には、平均粒子径は、１５０ｎｍ以上、２００ｎｍ以上、２５０ｎｍ以上、又は３００ｎｍ以上であってよく、また１μｍ以下、９００ｎｍ以下、８００ｎｍ以下、７００ｎｍ以下、６００ｎｍ以下、５００ｎｍ以下、又は４００ｎｍ以下であってよい。また、隠蔽性顔料がアルミニウムである場合には、平均粒子径は、１μｍ以上、３μｍ以上、又は５μｍ以上であってよく、また１５μｍ以下、１３μｍ以下、又は１０μｍ以下であってよい。
【００３９】
（水性インク組成物：色材）
色材としては、染料、顔料、又は染料と顔料との混合物等、従来のインクに用いることができる種々の色材を使用することができる。これらの色材は、単独で用いてもよく、又は混合して用いてもよい。
【００４０】
染料としては、例えば通常の染料インク組成物に用いられる直接染料、酸性染料、塩基性染料、媒染・酸性媒染染料、酒精溶性染料、アゾイック染料、硫化・硫化建染染料、建染染料、分散染料、油溶染料、食用染料、金属錯塩染料、造塩染料、樹脂に染料を染着した染料等の中から任意のもの、及びこれらの水溶液を用いることができる。
【００４１】
顔料としては、例えばカーボンブラック、グラファイト等の無機顔科、タルク、シリカ、アルミナ、マイカ、アルミナシリケート等の体質顔科、アゾ系顔料、縮合アゾ系顔料、フタロシアニン系顔料、アンスラキノン顔料、キナクドリン顔料、イソインドリノン系顔料、ジケトピロロピロール系顔料、各種レーキ顔料等の有機顔料、蛍光顔料、パール顔料等を用いることができる。
【００４２】
（水性インク組成物：水溶性有機溶剤）
水溶性有機溶剤としては、グリセリン、プロピレングリコール、エチレングリコールなどのグリコール類、エチレングリコールモノメチルエーテル、プロプレングリコールモノメチルエーテルなどのグリコールエーテル類等が好ましく使用できる。
【００４３】
（水性インク組成物：増粘剤）
増粘剤としては、例えば多糖類等の天然高分子、合成高分子を用いることができる。
【００４４】
多糖類としては、例えばアラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩を用いることができる。
【００４５】
合成高分子としては、例えばポリビニルピロリドン、ポリビニルメチルエーテル、ポリアクリル酸及びその塩、ポリエチレシオキサイド、酢酸ビニル−ポリビニルピロリドン共重合体、スチレン−アクリル酸共重合体及びその塩、イソブチレン無水マレイン酸共重合体及びその塩を用いることができる。
【００４６】
（水性インク組成物：界面活性剤）
界面活性剤としては、随意の界面活性剤を用いることができるが、フッ素系界面活性剤、アセチレングリコール系界面活性剤、及びシリコーン系界面活性剤からなる群より選択される少なくとも一種の界面活性剤を用いることが、水性インク組成物の動的表面張力をより良好に低減させる観点から好ましい。これらの界面活性剤としては、以下の実施例で言及するように、これらの界面活性剤を特定するものとして商業的に入手可能である物を用いることができる。
【００４７】
（水性インク組成物：他の成分）
水性インク組成物は、種々の添加剤、例えば、防腐剤、固着剤、ＰＨ調整剤、ノンドライ剤等を含有していてもよい。
【００４８】
（インク貯蔵部）
インク貯蔵部には、上記の筆記具用水性インク組成物が貯蔵されている。
【００４９】
インク貯蔵部は、インクを貯蔵し、かつ筆記部にインクを供給することができる物であれば、任意の物を用いることができる。
【００５０】
特に、筆記具がマーキングペンである場合には、インク貯蔵部は、中空の空間で形成されていることが、インクの目詰まりを抑制する観点から好ましい。また、この場合、インク貯蔵部には、撹拌子が封入されていることが、比重の大きい隠蔽性顔料を使用前に均一に分散させる観点から好ましい。
【００５１】
（筆記部）
筆記部は、筆記具の用途に応じ、随意の材料で構成されていてよい。本発明の筆記具がサインペンである場合、筆記部としては、例えば繊維芯及びプラスチック芯等が挙げられる。
【００５２】
樹脂製の筆記部としては、例えば焼結芯、繊維芯が挙げられる。
【００５３】
繊維芯は、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組合せからなる平行繊維束、フェルト等の繊維束を加工又はこれらの繊維束を樹脂加工した芯である。
【００５４】
〈エアブラシ〉
図１に示すように、エアブラシ１０は、ノズル１２及びガス供給部材１４を具備していてよい。ノズル１２とガス供給部材１４とは、一体として形成されていてもよく、又はホース等の中空部材を介して互いに接続されていてもよい。
【００５５】
ノズルは、筆記具の筆記部に高圧ガスを噴射できるノズルであれば、特に限定されない。
【００５６】
ガス供給部材は、ノズルに高圧ガスを供給できる部材であれば、特に限定されない。ガス供給部材は、人間が口から空気を吹き込んで噴射させる部材、ブロアーポンプの弾性体部分を手で圧縮変形させて高圧ガスを生じさせる部材、ピストンとシリンダーとからなるポンプのピストンを手で往復運動させる部材、液化ガスを充填したスプレー缶を用いる部材、電気的に圧縮空気を発生させる部材、例えば、モータと、回転運動を往復運動に変換する機構を介してモータと接続するダイヤフラム等の高圧ガス発生装置とからなり、高圧空気発生装置から噴射口へ高圧ガスを送る部材であってよい。
【００５７】
〈連結部材〉
連結部材は、エアブラシと筆記具とを連結させる随意の部材である。連結部材は、エアブラシと筆記具とを物理的に連結させる部材であれば、特に限定されない。
【００５８】
《筆記具》
上記で言及したように、本発明の筆記具は、エアブラシと組み合わせて用いられる筆記具であって、前記筆記具が、水性インク組成物を含有しており、
前記水性インク組成物が、
水、及び隠蔽性顔料を含有しており、
２５℃及び２００ｍｓにおける動的表面張力が５５ｍＮ／ｍ以下であり、かつ
剪断速度９．６〜７６．６／ｓにおける剪断減粘指数が０．４〜０．８である。
【実施例】
【００５９】
実施例及び比較例により本発明を具体的に説明するが、本発明は、これらに限定されるものではない。
【００６０】
《筆記具の作製》
〈実施例１〉
（水性インク組成物の作製）
隠蔽性顔料としての酸化チタン（チタンＲ−７０６、ＤｕＰｏｎｔ社、平均粒子径３６０ｎｍ）１０質量部、色材としての青色顔料（ＦＡＳＴＧＥＮ  ＢＬＵＥ  ＴＧＲ−ＳＤ、ＤＩＣ社）５質量部、顔料分散剤としてのスチレンアクリル樹脂（ジョンクリルＪ−６３、ＢＡＳＦ社）１質量部、増粘剤としてのキサンタンガム（エコーガムＲＤ、ＤＳＰ五協フード＆ケミカル社）０．１質量部、固着剤としてのスチレンアクリル樹脂（ジョンクリル７１００、ＢＡＳＦ社）１０質量部、防腐剤（バイオデンＳ、大和化学工業社）水溶性有機溶剤としてのグリセリン０．８質量部及び、及びイオン交換水７７．３質量部を用い、水性インク組成物を１００質量部作製した。
【００６１】
より具体的には、まず、顔料成分、すなわち隠蔽性顔料、青色顔料及び顔料分散剤を、上記のイオン交換水の一部とともに、公知の分散機を用いて混合して、顔料成分の水分散体を予め作製した。次いで、公知の攪拌機を用いて、この顔料成分の水分散体と、残りの成分とを混合攪拌して、水性インク組成物を作製した。
【００６２】
作製した水性インク組成物に関し、剪断減粘指数を、Ｍｏｄｕｌａｒ  Ｃｏｍｐａｃｔ  Ｒｈｅｏｍｅｔｅｒ  ＭＣＲ３０２（Ａｎｔｏｎ  Ｐａａｒ社）を用いて測定し、動的表面張力をＢＵＢＢＬＥ  ＰＲＥＳＵＲＥ  ＴＥＮＳＩＯＭＥＴＥＲ  ＢＰ２（三洋貿易社）を用いて測定し、静的表面張力を、ＣＢＶＰ−Ａ３（協和界面科学社）を用いて測定した。
【００６３】
バルブ式マーキングペン（ポスカ銀色、三菱鉛筆社）のインク貯蔵部に、作製した水性インク組成物を充填して、実施例１の筆記具を作製した。
【００６４】
〈実施例２〜１４及び比較例１〜５〉
水性インク組成物の成分を、表１に示すように変更したことを除き、実施例１と同様にして、実施例２〜１４及び比較例１〜５の筆記具を作製した。なお、表１で言及している他の材料としては、以下のものを用いた。
アルミニウム顔料：ＥＭＲ−ＤＺ４８５（東洋アルミニウム社、平均粒子径８μｍ）
青色酸性染料：青１号  ４０％水溶液
赤色酸性染料：赤１０３号  ３５％水溶液
アセチレングリコール系界面活性剤：オルフィン４０３６（日信化学工業社）
フッ素系界面活性剤：キャップストーンＦＳ−１０（ＤｕＰｏｎｄ社）
シリコーン系界面活性剤：ＫＦ−６０１１（信越化学工業）
【００６５】
《筆記特性の評価》
作製した筆記具を１０回振って撹拌子によりインク貯蔵部内の水性インク組成物を撹拌し、次いでＰＰＣ用紙に「ＶＥＮＥＮＯ」と筆記して、描線のカスレ及び滲みを評価した。
〈インク流出性〉
描線のカスレの評価基準は以下のとおりである：
Ａ：擦れがなく、十分な濃度の描線が表現できている。
Ｃ：描線が多少擦れており、描線濃度がうすい。
Ｅ：描線が酷く擦れており、描線が殆ど見えない。
【００６６】
〈描線の滲み〉
描線の滲みの評価基準は以下のとおりである：
Ａ：滲みが殆どない。
Ｃ：描線がやや太くなる程度の滲みがあるが、インクの裏抜けはしていない。
Ｅ：滲みが酷く、インクの裏抜けがある。
【００６７】
〈再初筆性〉
作製した筆記具で描線を筆記した後に筆記部を上向きにした状態で２４時間静置して、再び描線を筆記して、その状態を対比した。
再初筆性の評価基準は以下の通りである：
Ａ：描線が問題なく確認できる。
Ｅ：描線の確認が困難。
なお、比較例１及び２は白い紙を用いて、それ以外は黒い紙に筆記した。
【００６８】
《エアブラシユニットの作製》
作製した筆記具を、エアブラシに接続して、エアブラシユニットを作製した。
【００６９】
《塗工性の評価》
直径８ｍｍ、高さ８ｃｍの筒状のポリカーボネート製の被塗工体を高さ方向が鉛直となるように配置し、作製したエアブラシユニットを用いて、被塗工体の全周を塗工するようにしてインクを噴射させて、この被塗工体を目視で観察して、外観を評価した。
【００７０】
別途、作製したエアブラシユニットを用いて、ＰＰＣ用紙にインクを噴射させて、噴射時のインクの吐出量性を目視により評価した。
【００７１】
〈噴射時のインクの吐出量〉
噴射時のインクの吐出量については、インクの吐出量が適切であるかを表１に記載している。
【００７２】
〈塗膜ムラ〉
塗膜ムラの液ダレの評価基準は以下のとおりである：
Ａ：ムラがなく、均一な塗膜が形成されている。
Ｂ：僅かにムラが見られるが、ほぼ均一な塗膜が形成されている。
Ｃ：ムラがやや見られるが、均一な塗膜が形成されている。
Ｄ：ムラが目立つ。
Ｅ：ムラが多く、塗膜の外観が損なわれている。
【００７３】
結果を表１に示す。
【００７４】
【表１】
2019189671.tif 000003
【００７５】
表１から、隠蔽性顔料を含有しており、かつ剪断速度９．６〜７６．６／ｓにおける剪断減粘指数が０．４〜０．８である、水性インク組成物を含有している実施例１〜１４の筆記具を具備しているエアブラシユニットは、エアブラシの塗工性及び筆記特性のいずれにおいても、実用上問題のない結果が出ていたことが理解できよう。中でも、２００ｍｓにおける動的表面張力が５５ｍＮ／ｍ以下である実施例２〜１４の筆記具を具備しているエアブラシユニットは、塗膜ムラを更に抑制できていること、並びに上記の実施例の中でも、上記の動的表面張力が４５ｍＮ／ｍ以下である実施例６〜１１及び１４筆記具を具備しているエアブラシユニットは、塗膜ムラを最も抑制できていることが理解できよう。
【００７６】
これに対し、隠蔽性顔料を有していない比較例１及び２の筆記具を具備しているエアブラシユニットは、上記の剪断減粘指数の範囲を満足しているにもかかわらず、塗膜ムラが多かったことが確認できよう。
【００７７】
また、剪断速度３８．３／ｓでの粘度が５０ｍＰａ・ｓ超であり、かつ剪断減粘指数が０．４未満である比較例３の筆記具を具備しているエアブラシユニットは、噴射性が良好ではなかったこと、並びに剪断速度３８．３／ｓでの粘度が５ｍＰａ・ｓ未満であり、かつ剪断減粘指数が０．８超である比較例４及び５の筆記具は、再初筆性が良好ではなく、これを具備しているエアブラシユニットは、噴射時のインクの吐出量が多かったこと、塗膜ムラが目立っていたことも確認できよう。
【符号の説明】
【００７８】
１０    エアブラシ
１２    ノズル
１４    ガス供給部材
２０    筆記具
２２    筆記部
３０    連結部材
１００    エアブラシユニット
【図１】
2019189671.tif 000004